(57)【要約】【課題】  従来の、手書ならびに印刷や複写により、文字や図形や画像が記録される用紙に、文字や図形や画像が記録された後に、規則性のあるデーターベース化や参照資料化を可能とする、保存や仕分け分類を指示すための付加情報を備えた、記録用紙を得ること。【解決手段】  ドロップアウトされる色で印刷された、主分類検索番号Ａ、副分類検索番号Ｂ、補助分類検索番号Ｃ、インデックス枠Ｄ、切取枠Ｈ、折り曲げ線Ｅ、またはドロップアウトされない色で印刷された、スキャナーなどの光学式読み取り装置でパソコンなどに読み取り、保存し仕分け分類するさいに分類を検知する判定マークとなる光学式読み取りマークＧと、折り曲げ線Ｅにそって折り曲げる事でその効果が得られる、しおり部Ｆとを備えたことを特徴としている。【選択図】  「図１」
2005059558.tif 000002
【特許請求の範囲】
【請求項１】
図１ならびに図２に示される、ドロップアウトされる色、またはドロップアウトされない色で印刷された、主分類検索番号Ａ、副分類検索番号Ｂ、補助分類検索番号Ｃ、インデックス枠Ｄ、切取枠Ｈ、折り曲げ線Ｅ、しおり部Ｆなどの、仕分け分類を指示する付加情報を具備した、記録用紙毎の保存や仕分け分類や検索を容易にすることを特徴とする記録用紙。
【請求項２】
図１ならびに図２に示される、ドロップアウトされる色、またはドロップアウトされない色で印刷された、主分類検索番号Ａ、副分類検索番号Ｂ、補助分類検索番号Ｃ、インデックス枠Ｄ、切取枠Ｈ、折り曲げ線Ｅ、しおり部Ｆなどに連鎖して、ドロップアウトされない色で印刷され、スキャナーなど光学式読み取り装置で、パソコンなどに読み取り保存するさいに、仕分け分類を指示する付加情報を検知するための判定マークとなる、光学式読み取りマークＧを備えたことを特徴とする記録用紙。
【発明の詳細な説明】
【技術分野】
【０００１】  本発明は、仕分け分類を指示するための付加情報により、保存時の仕分けや分類を容易にする、手書ならびに印刷や複写により文字や図形や画像が記録される、複写コピー、印刷、筆記、ルーズリーフ、ノートなどに用いられる用紙（以下、単に記録用紙という）に関するものである。【０００２】  特に、スキャナーなどの光学式読み取り装置で、パソコンなどに読み取った後に、光学式読み取りマークで保存や仕分け分類を指示するための付加情報により、パソコン側の光学式読み取り装置動作ソフトまたは仕分け分類ソフトと連動した、自動仕分け分類や保存を可能とする、前記記録用紙に関するものである。
【背景技術】
【０００３】  従来の、前記記録用紙には、文字や図形や画像が記録された後に、規則性のあるデーターベース化や参照資料化するための、保存や仕分け分類を指示するための付加情報は備えられておらず、主にインデックスタブやインデックス専用紙を用いた、大雑把な大分類の仕分けしか出来ておらず、大分類、中分類、小分類、項目などに細分化して、保存し仕分け分類できる記録用紙がなかった。【０００４】  また、記録用紙に記録された情報をスキャナーなどの光学式読取り装置で、パソコンなどに読み取り、読み取られた記録用紙の保存や仕分け分類を指示するための付加情報の光学式読み取りマークを備えた記録用紙はなかった。
【発明の開示】
【発明が解決しょうとする課題】
従来の、手書ならびに印刷や複写により、文字や図形や画像が記録される用紙を、文字や図形や画像が記録された後、規則性のあるデーターベース化や参照資料化を可能とする、仕分け分類を指示すための付加情報を備えることである。
【０００５】  本発明は、手書ならびに印刷や複写により、文字や図形や画像が記録される用紙に、文字や図形や画像が記録された後に、規則性のあるデーターベース化や参照資料化を容易になすため、前記記録用紙に仕分け分類を指示する付加情報を与える、インデックス枠や分類番号や切取枠やしおりを備えることを目的とするものである。
【課題を解決するための手段】
【０００６】  本発明の記録用紙は、ドロップアウトされる色、例えば青で印刷された、主分類検索番号Ａ、副分類検索番号Ｂ、補助分類検索番号Ｃ、インデックス枠Ｄ、切取枠Ｈ、折り曲げ線Ｅと、ドロップアウトされない色、例えば黒で印刷された、スキャナーなどの光学式読み取り装置で、保存や仕分け分類の指示に関する情報を与える、光学式読取りマークＧを備えたものである。
【０００７】  本明細書における記録用紙とは、主に手書ならびに印刷や複写により、文字や図形や画像が記録される用紙をいい、パソコンプリンター印刷用紙、複写機用コピー用紙、レポート用原紙、ノート用原紙、ルーズリーフ用紙、メモ用紙、手帳用原紙、便箋類、スケッチブック類、チラシ類印刷用原紙、パンフレット類印刷用原紙、説明及び手引書印刷用原紙、伝票用原紙等の記録用原紙、教科書印刷用原紙、地図類印刷用原紙、書籍用原紙、撮影映像印刷焼付け用原紙、その他の手書や印刷また複写等により、文字や図形や画像を記録できる用紙類を含む概念として用いられる。
【発明の効果】
【０００８】  以上説明したように、本発明は、ドロップアウトされる色、またドロップアウトされない色で印刷された、主分類検索番号Ａ、副分類検索番号Ｂ、補助分類検索番号Ｃ、インデックス枠Ｄ、切取枠Ｈ、しおり部Ｆ、光学式読み取りマークＧの自在な組み合わせで、記録用紙毎の大分類、中分類、小分類、項目別などの、仕分け分類を容易にする付加情報を与えることが可能となる利点を有する。
【発明を実施するための最良の形態】
【０００９】  本発明による前記記録用紙に、分類検索を指示する付加情報を与える記入枠や番号や切取枠を作成し備えることは、パソコンプリンター印刷用紙、複写機用コピー用紙、ルーズリーフ用紙など様々な記録用紙に可能で、以下の説明では、パソコンプリンター印刷用紙または前記のコピー用紙、あるいはルーズリーフ用紙などに仕分け分類を指示する付加情報を与える、記入枠や番号や切取枠を備えた本発明の一実施例についてまず、その構成を図１，図２により説明する。
【実施例】
【００１０】  図１に示すように、例えばドロップアウトされる色の青で印刷された、またはドロップアウトされない色の黒で印刷された、主分類検索番号Ａ、副分類検索番号Ｂ、補助分類検索番号Ｃ、インデックス枠Ｄ、切取枠Ｈ、折り曲げ線Ｅ、しおり部Ｆ、パソコンなどにスキャナーなどの光学式読み取り装置で読み取り、仕分け分類を検知する判定マークとなる光学式読取りマークＧを備えていることを特徴とする。【００１１】  図１に示される、主分類検索番号Ａのａ〜ｖと、副分類検索番号Ｂの０１〜２０と、補助分類検索番号Ｃの１と２は、すべてのインデックス枠内の光学式読み取りマークに連鎖して付記され、前記の各分類検索番号を自由に組み合わせ、前記記録用紙を容易に仕分け分類できる機能が得られる。【００１２】  また図１に示される、インデックス枠Ｄはａ〜ｖまで設けられ、例えばドロップアウトされる色の青、またはドロップアウトされない色の黒などで印刷され、市販のインデックス用のタックシール類を用いて、本発明の記録用紙を仕分け分類するさい、目測によらない、規則性のある正確なインデックス用のタックシール類の貼り付けができ、効率よく規則的な仕分け分類の見出し付けができ、美観も良い。【００１３】  また図１に示される、切取枠Ｈはａ〜ｖまで設けられ、例えばルーズリーフ式のシステム手帳やノートの記録用紙として、本発明になる記録用紙を利用する場合、また人事台帳などインデックス見出しなども人目に晒したくない場合に、切取枠Ｈを市販の鋏もしくはカッターなどを用いて切り取り切欠箇所を設け、切欠箇所のａ〜ｖを単独または複数組み合わせ、それぞれに仕分け分類する項目や主題を割り当てる事で、他者に記録用紙の項目や分類内容を知られることなく、仕分け分類の見出し効果を得ることが出来る。【００１４】  また秘匿した、仕分け分類の項目や主題の失念が懸念される場合は、インデックス仕分け分類表などを作成しておけば、多くの秘匿分類項目が設けられる。【００１５】  また図１に示される、しおり部ＦはｘとＹが設けられ、また光学式読み取りマークが、しおり部Ｆに連動してｘとＹを具備してなり、光学式読み取り仕分け分類に利用できるほか、例えばドロップアウトされる色の青、またはドロップアウトされない色の黒などで印刷された、折り曲げ線Ｅに沿って折り曲げられる事で、簡便な仕分け分類が容易となり、暫定的な分類や、前記記録用紙の内容に関し注意を喚起したい時などの指示が容易となる。【００１６】  また図１に示される、光学式読み取りマークＧはインデックス枠内としおり部のｘとＹに設けられ、各インデックス枠内の光学式読み取りマークＧは各２つが備えられ、それぞれに１と２の補助分類検索番号Ｃが付記され、本発明になる記録用紙毎の仕分け分類と、パソコンなどにスキャナーなどの光学式読み取り装置で読み取り、仕分け分類を指示する付加情報を与えることが可能となる、光学式読み取り判定マークが得られる。【００１７】「実施形態の効果」
また、光学式マークは読み取り装置や、読み取り後の動作ソフトに合わせて、例えばバーコードやその他の光学式読み取りの、それぞれの読み取りマークやコードなど、読み取り記号やサインを最適な状態で印刷することもできる。【００１８】「実施形態の効果」
また図１に示される、主分類検索番号Ａ、副分類検索番号Ｂ、補助分類検索番号Ｃ、インデックス枠Ｄ、切取枠Ｈ、しおり部Ｆを自在に組み合わせる事で、仕分け分類の目的に合わせ自由に、大分類、中分類、小分類、項目などを設けることが出来る。【００１９】「実施形態の効果」
次に、本発明の前記記録用紙の態様の一例に付いて説明する。
図１に示すように、四角形で構成される記録用紙の、保存や綴じ込み方向また縦書き横書きなどの、記録用紙の使用方向に合わせ、主分類検索番号Ａ、副分類検索番号Ｂ、補助分類検索番号Ｃ、インデックス枠Ｄ、切取枠Ｈ、しおり部Ｆ、光学式読取りマークＧの印刷場所を、記録用紙の本体０１の上端０２、左端０３、右端０４、下端０５のそれぞれの辺に必要に応じ自在に組み合わせを選択し印刷してもよい。【００２０】「他の実施形態」
なお、図１に示された、本発明の前記記録用紙のインデックス枠Ｄ、切取枠Ｈ、しおり部Ｆ、光学式読取りマークＧの図案実施の形状は、それぞれ図案や目的に応じて異なる形状としてもよい。【００２１】「他の実施形態」
本発明の印刷は、通常の記録用紙の使用形態で余白にあたる部分になされるため、スキャナーなどの光学式読み取り装置での、仕分け分類を指示する光学式マークの読み取りに支障がない場合、また光学式読み取り装置などでの読み取りを行わない場合など、主分類検索番号Ａ、副分類検索番号Ｂ、補助分類検索番号Ｃ、インデックス枠Ｄ、切取枠Ｈ、しおり部Ｆ、光学式読取りマークＧを、例えば黒やその他任意の色で印刷すれば、記録用紙の色分けも色彩豊かにおこなえ、且つ製造工程の削減で製造コストの軽減も図れる。
【図面の簡単な説明】
【００２２】
【図１】本発明の記録用紙の一実施例を示す、全体図である。
【図２】図１の実施例の一部分の拡大図である。
【符号の説明】
【００２３】０１  記録用紙本体
０２  上端（記録用紙の上）
０３  左端（記録用紙の左）
０４  右端（記録用紙の右）
０５  下端（記録用紙の下）
Ａ    主分類検索番号
Ｂ    副分類検索番号
Ｃ    補助分類検索番号
Ｄ    インデックス枠
Ｅ    折り曲げ線
Ｆ    しおり部
Ｇ    光学式読み取りマーク
Ｈ    切取部
Ｘ    しおり部（右上）の光学式読み取りマーク
Ｙ    しおり部（右下）の光学式読み取りマーク
【図１】
2005059558.tif 000003
【図２】
2005059558.tif 000004